(57)【要約】      （修正有）【課題】塵埃の発生を抑制した建築用平面スピーカ振動板、およびそれを用いた建築用平面スピーカを提供する。【解決手段】建築用平面スピーカ振動板１０は、中空ハニカム構造のハニカムコア１０１と、ハニカムコア１０１を挟んで、その中空部を密閉するように一体化された一対の表面材１０２と、表面材１０２の一方を覆う装飾材料と、を具備する。【選択図】図２
0003151525.tif 000002
【実用新案登録請求の範囲】
【請求項１】
中空ハニカム構造のハニカムコアと、
前記ハニカムコアを挟んで、その中空部を密閉するように一体化された一対の表面材と、
前記表面材の一方を覆う装飾材料と、
を具備することを特徴とする建築用平面スピーカ振動板。
【請求項２】
前記装飾材料は、
壁クロス、壁紙、または着色コーティング材のいずれかであることを特徴とする請求項１に記載の建築用平面スピーカ振動板。
【請求項３】
前記ハニカムコアは、
アラミド製ハニカム、クラフト紙製ハニカム、またはアルミニウム製ハニカムのいずれかであることを特徴とする請求項１または請求項２に記載の建築用平面スピーカ振動板。
【請求項４】
前記表面材は、
ガラス繊維または炭素繊維からなる基材に熱硬化樹脂を含浸後、熱硬化させたことを特徴とする請求項１ないし請求項３のいずれか１項に記載の建築用平面スピーカ振動板。
【請求項５】
中空ハニカム構造のハニカムコアと、前記ハニカムコアを挟んで、その中空部を密閉するように一体化された一対の表面材と、前記表面材の一方を覆う装飾材料と、を具備する建築用平面スピーカ振動板と；前記表面材の他方に音響的に接続された、前記建築用平面スピーカ振動板を振動させる振動発生部と；を具備することを特徴とする建築用平面スピーカ。
【考案の詳細な説明】
【技術分野】
【０００１】
この考案は、表面が装飾材料で覆われた建築用平面スピーカ振動板、およびそれを用いた建築用平面スピーカに関する。
【背景技術】
【０００２】
従来のスピーカとして、コーン型スピーカがある（特許文献１）。
【先行技術文献】
【特許文献】
【０００３】
【特許文献１】特開平５−１３０６８９号
【考案の概要】
【考案が解決しようとする課題】
【０００４】
コーン型スピーカは、円錐形の振動板（コーン紙）に配置されたボイスコイルに駆動電流を流すことにより、振動板が振動し、空気の粗密波（縦波）を作り出すことによって、音が出力される。しかし、コーン型スピーカは、その形状が立体的であり壁等に埋め込むことが困難なため、振動板などスピーカの一部が露出する。そして、この露出した振動板による空気の脈流等によりスピーカの表面を覆うクロスやスピーカ自体に塵埃がたまる。このため、医薬品製造工場や食品工場、病院の手術室など塵埃を嫌う環境への使用が制限される。また、スピーカが露出するため意匠性が損なわれてしまう。
本考案は、かかる従来の問題を解消すべくなされたもので、塵埃の発生を抑制した建築用平面スピーカ振動板、およびそれを用いた建築用平面スピーカを提供することを目的とする。
【課題を解決するための手段】
【０００５】
本考案の一態様に係る建築用平面スピーカ振動板は、中空ハニカム構造のハニカムコアと、ハニカムコアを挟んで、その中空部を密閉するように一体化された一対の表面材と、表面材の一方を覆う装飾材料と、を具備する。
【０００６】
本考案の一態様に係る建築用平面スピーカは、中空ハニカム構造のハニカムコアと、ハニカムコアを挟んで、その中空部を密閉するように一体化された一対の表面材と、表面材の一方を覆う装飾材料と、を具備する建築用平面スピーカ振動板と；表面材の他方に音響的に接続された、建築用平面スピーカ振動板を振動させる振動発生部と；を具備する。
【考案の効果】
【０００７】
本考案によれば、塵埃の発生を抑制した建築用平面スピーカ振動板、およびそれを用いた建築用平面スピーカを提供することができる。
【図面の簡単な説明】
【０００８】
【図１】第１の実施形態に係る建築用平面スピーカの構成の一例を示した図である。
【図２】第１の実施形態に係る建築用平面スピーカ振動板の断面図である。
【図３】第１の実施形態に係るハニカムコアを示した図である。
【考案を実施するための形態】
【０００９】
以下、図面を参照して、本考案の実施形態を詳細に説明する。
（第１の実施形態）
図１は、第１の実施形態に係る建築用平面スピーカ１の構成の一例を示した図である。建築用平面スピーカ１は、振動により音波を発生させる振動板１０（建築用平面スピーカ振動板）と、振動板１０の裏面に音響的に接続されたエキサイター２０（振動発生部）と、振動板１０の表面を覆う装飾材料３０とを具備する。
【００１０】
図１に示すように、建築用平面スピーカ１は、取り付け場所である壁面を構成する石膏ボード４０と表面の高さを合わせた後、建築用平面スピーカ１の固定部材である木材５０にねじ６０により固定および設置される。
【００１１】
（振動板１０）
図２は、振動板１０の断面図である。図３は、振動板１０のハニカムコア部を示した図である。図２、３に示すように、振動板１０は、六角形状の中空セルが密に詰まったハニカム構造を呈するハニカムコア１０１と、ハニカムコア１０１を挟み込むとともに、中空部を密閉するようにして設けられた一対の表面材１０２とを具備する。
【００１２】
なお、この振動板１０の厚みｔ１は、４ｍｍ以上２５ｍｍ以下であることが好ましい。振動板１０の厚みｔ１が、４ｍｍ未満であると必要な強度や剛性を確保することが難しい。また、振動板１０の厚みｔ１が、２５ｍｍを超えると、重量が増加するため好ましくない。さらに、音響特性の面から、振動板１０の単位体積当たりの重量（密度）は、０．０５ｇ／ｃｍ３以上、０．５ｇ／ｃｍ３以下であることが好ましく、表面材１０２の引っ張り弾性率は、１ＧＰａ以上、１０ＧＰａ以下であることが好ましい。
【００１３】
（ハニカムコア１０１）
ハニカムコア１０１を構成する材質としては、例えば、紙、アルミニウム（Ａｌ）、アラミド不織布等がある。剛性等を確保する観点からは、アルミニウム（Ａｌ）、アラミド不織布を用いることが望ましい。このアルミニウム（Ａｌ）、アラミド不織布には、公知のものが使用できる。例えば、アラミド不織布としては、デュポン社のメーテックス（商品名）等を用いることができる。
【００１４】
なお、前記中空ハニカム構造は公知の方法によって形成することができる。例えば、前記アラミド不織布内にガス発生剤を付着させ、振動板形成における加熱過程において所定のガスを発生させ、前記不織布内にこのガス発生に起因した六角形状の空洞を形成するようにして実施することができる。前記ガス発生剤としては、例えば、重炭酸ソーダなどが使用できる。
【００１５】
また、ハニカムコア１０１のセルサイズは特に限定されないが、適度な強度及び重量を有するように適宜に調節する。例えば、ハニカムコアの厚さが大きい場合はセルサイズを大きくし、ハニカムコアの厚さが小さい場合はセルサイズを小さくして、適度な強度及び重量を有するよう調整する。
【００１６】
（表面材１０２）
表面材１０２は、単なる樹脂板でもよいが、繊維基材に熱硬化樹脂を含浸させたものが好ましい。前記繊維としては、例えば、ガラス繊維、炭素繊維、アラミド繊維やＰＢＯ（ポリパラフェニレンベンズビスオキサゾール）繊維などがある。
【００１７】
表面材１０２は、ハニカムコア１０１の両端部においてその中空部を密閉するようにして形成する。具体的には、ハニカムコア１０１の表面および裏面に、繊維基材に熱硬化樹脂を含浸した表面材１０２を重ね合わせて加熱加圧することにより、ハニカムコア１０１と表面材１０２とを接着するように形成する（熱圧形成）。このような接着は、表面材１０２を構成する熱硬化樹脂の加熱硬化に伴って行われる。接着が不十分である場合は、適宜接着剤を用いることができる。なお、繊維基材に熱硬化樹脂を含浸させた後、半熱硬化させたプリプレグを表面材１０２として用いてもよい。
【００１８】
繊維としてガラス繊維を用いる場合は、適切な軽さと強度（剛性）とを具えたものである必要があり、その密度が４０ｇ／ｍ２〜２２０ｇ／ｍ２であることが好ましい。また、平織り構造であることが好ましい。このようなガラス織布としては、建材やプリント配線板などに用いる１０６ｔｙｐｅ、１０８０ｔｙｐｅ、２１１６ｔｙｐｅ及び７６２８ｔｙｐｅ（いずれもＩＰＣスペック）などを用いることができる。
【００１９】
また、熱硬化樹脂としては、一般的な工業製品に用いられるエポキシ樹脂を用いることができる。具体的には、ビスフェノールＡ型エポキシ樹脂、ビスフェノールＦ型エポキシ樹脂、ノボラック型エポキシ樹脂、グリシジルエーテル型エポキシ樹脂、脂環式エポキシ樹脂、及び複素環型エポキシ樹脂などのエポキシ樹脂、ビフェニル骨格を含有するような多官能のエポキシ樹脂などを用いることができる。これらは単独で用いることもできるが、複数を組み合わせて用いることもできる。
【００２０】
さらに、難燃性を付与する場合には、ブロム化エポキシ樹脂、りん変性エポキシ樹脂などの一般的な難燃機構を有するエポキシ樹脂などを用いることもできる。
【００２１】
なお、エポキシ樹脂を硬化させるに際しては、適宜エポキシ用硬化剤を用いることができる。このようなエポキシ用硬化剤としては汎用のものを用いることができ、ジシアンジアミド、芳香族ジアミンなどのアミン硬化系、フェノールノボラック樹脂、クレゾールノボラック樹脂、ビスフェノールＡ型ノボラック樹脂、トリアジン変性フェノールノボラック樹脂などのフェノール硬化系などを用いることができる。これらの硬化剤は単独で用いることもできるが、複数を組み合わせて用いることもできる。
【００２２】
ハニカムコア１０１と表面材１０２とを一体化した建築用平面振動板１０は、ルーター切削等の機械加工により、所望の形状に加工される。
【００２３】
（エキサイター２０）
エキサイター２０は、振動板１０の裏面に音響的に接続されており、図示しない外部から入力される電気信号を振動に変換し、建築用平面振動板１０を介して空気に振動を伝達することで音を出す。
【００２４】
（装飾材料３０）
装飾材料３０には、建築用の装飾材として使用可能な壁クロス、壁紙、着色コーティング材などが用いられる。装飾材料３０は、適切な接着剤を用いて建築用平面振動板１０の表面と張り合わされる。建築用平面スピーカ１および石膏ボード４０との表面高さは、略同一に調整させており、かつ建築用平面スピーカ１が装飾材料３０により覆われて露出していないため建築用平面スピーカ１の設置位置を識別することは難しい。
【００２５】
以上のように、この第１の実施形態に係る建築用平面スピーカ１は、表面が石膏ボード４０の表面と略同一の高さで、その表面が装飾材料３０により覆われている。このため、建築用平面スピーカ１に塵埃がたまることを抑制でき、塵埃の発生を抑制できる。また、建築用平面スピーカ１が装飾材料３０に覆われ露出しないので意匠性に優れる。
【符号の説明】
【００２６】
１…建築用平面スピーカ、１０…振動板（建築用平面スピーカ振動板）、２０…エキサイター（振動発生部）、３０…装飾材料、４０…石膏ボード、５０…木材、６０…ねじ、１０１…ハニカムコア、１０２…表面材。
【図１】
0003151525.tif 000003
【図２】
0003151525.tif 000004
【図３】
0003151525.tif 000005